(57)【要約】【課題】各使用者の印刷枚数の上限値を管理する画像形成装置において、トータル印刷枚数（総印刷枚数）といった管理者が特に重要視する一部の要素を変更するだけで、他の変数をも更新して、円滑な印刷枚数管理を継続することが可能な画像形成装置などを提供する。【解決手段】各使用者に割り当てられた印刷枚数の上限値の合計である総上限値の変更率の入力を受け付けると（S14）、上限値を再計算し、各使用者の上限値を更新する（S15）。【選択図】図４
2008183739.tif 000002
【特許請求の範囲】
【請求項１】
各使用者に割り当てられた印刷枚数の上限値と、上限値の合計である総上限値を記憶する記憶手段と、
前記総上限値の変更を受け付ける受付手段と、
受け付けた変更後の総上限値に基づいて、各使用者における上限値を算出して割り当て直す再割り当て手段と
を備えることを特徴とする画像形成装置。
【請求項２】
前記受付手段は、さらに使用者の総人数の変更を受け付け、
前記再割り当て手段は、受け付けた変更後の総人数に基づいて、各使用者における上限値を割り当て直すことを特徴とする請求項１に記載の画像形成装置。
【請求項３】
前記記憶手段は、各使用者ごとの重み付け係数を記憶しており、
前記再割り当て手段は、前記重み付け係数を用いて上限値を算出する
ことを特徴とする請求項１または２に記載の画像形成装置。
【請求項４】
前記重み付け係数は、各使用者に設定された重要度を示す係数である
ことを特徴とする請求項３に記載の画像形成装置。
【請求項５】
前記重み付け係数は、各使用者の印刷使用履歴に関する係数である
ことを特徴とする請求項３に記載の画像形成装置。
【請求項６】
前記印刷使用履歴に関する係数は、印刷枚数の節約指数に関する係数であって、
前記再割り当て手段は、前記節約指数が節約傾向に乏しい使用者ほど、割り当てる印刷枚数を削減する
ことを特徴とする請求項５に記載の画像形成装置。
【請求項７】
前記節約指数は、複数枚数の原稿を１枚にまとめて印刷する集約機能の使用履歴、内容がほぼ一致する印刷の使用履歴の少なくとも１つに基づく指数であることを特徴とする請求項６に記載の画像形成装置。
【請求項８】
さらに、前記再割り当て手段により割り当て直された上限値を各使用者へと通知する通知手段を備える
ことを特徴とする請求項１から７のいずれかに記載の画像形成装置。
【請求項９】
さらに、前記再割り当て手段により割り当て直された上限値と、当該上限値の算出に際して依拠した重み付け係数に関する情報とを表示させる表示制御手段を備える
ことを特徴とする請求項３に記載の画像形成装置。
【請求項１０】
前記受付手段は、前記総上限値または総人数の目標変更値と、印刷枚数を管理する管理期間と、当該管理期間内における複数の変更回数とを受け付け、
さらに、前記管理期間と変更回数とに基づいて、前記管理期間の始期から終期までにおける変更タイミングと、変更タイミング到来の度に受け付けた変更目標値へと、段階的に近づける値群とを含む変更スケジュールを決定するスケジュール決定手段を備え、
前記再割り当て手段は、前記変更スケジュールに従って上限値を割り当て直すことを特徴とする請求項１または２に記載の画像形成装置。
【請求項１１】
画像形成装置と、前記画像形成装置における印刷枚数の上限値を再計算する上限値計算装置とを含む上限値計算システムであって、
前記画像形成装置は、
各使用者に割り当てられた印刷枚数の上限値と、上限値の合計である総上限値とを記憶する記憶手段を備え、
上限値再計算装置は、
前記総上限値の変更を受け付ける受付手段と、
受け付けた変更後の総上限値に基づいて、前記各使用者に割り当てられた印刷枚数の上限値を計算する計算手段を備える
ことを特徴とする上限値計算システム。
【請求項１２】
画像形成装置における各使用者に割り当てられた印刷枚数の上限値を再計算する上限値計算方法であって、
各使用者に割り当てられた印刷枚数の上限値と、上限値の合計である総上限値を記憶する記憶ステップと、
前記総上限値の変更を受け付ける受付ステップと、
受け付けた変更後の総上限値に基づいて、各使用者における上限値を算出して割り当て直す再割り当てステップと
を含むことを特徴とする上限値計算方法。
【発明の詳細な説明】
【技術分野】
【０００１】
本発明は、各使用者の印刷枚数を管理する画像形成装置に関する。
【背景技術】
【０００２】
印刷機能を有する画像形成装置において、印刷コスト削減などの観点から、各使用者の印刷枚数を管理し、設定された上限値を超えた使用者に印刷を禁止する処置を行う技術がある。
【特許文献１】特開2005-32004号公報
【発明の開示】
【発明が解決しようとする課題】
【０００３】
ところで、CO2削減、環境ISOへの配慮など地球環境に関する意識の高まりを背景として、近年、印刷枚数のさらなる削減が求められるという傾向にある。
印刷枚数を削減したい場合、画像形成装置における印刷枚数の管理者は、各使用者の上限値を手動で変更することが考えられるが煩わしい作業である。
また、印刷枚数の管理目的は、会社における部署単位などのトータル印刷枚数の管理を目的としており、個々の使用者の具体的な印刷枚数の管理までは重要視されていないことが通常である。
【０００４】
本発明は上述の問題に鑑みてなされたものであって、各使用者の印刷枚数の上限値を管理する画像形成装置において、印刷枚数の管理者に煩わしい作業を強いることなく、トータル印刷枚数（総印刷枚数）といった管理者が特に重要視する一部の要素を変更するだけで、他の変数をも更新して、円滑な印刷枚数管理を継続することが可能な画像形成装置などを提供することを目的とする。
【課題を解決するための手段】
【０００５】
本発明に係る画像形成装置は、各使用者に割り当てられた印刷枚数の上限値と、上限値の合計である総上限値を記憶する記憶手段と、前記総上限値の変更を受け付ける受付手段と、受け付けた変更後の総上限値に基づいて、各使用者における上限値を算出して割り当て直す再割り当て手段とを備えることを特徴としている。
【発明の効果】
【０００６】
課題を解決するための手段に記載した構成によれば、上記受付手段が印刷枚数管理者が重要視するであろう要素である総上限値の変更を受け付けると、上記再割り当て手段は、受け付けた変更後の総上限値に基づいて、各使用者における上限値を算出して割り当て直すので、管理者に煩わしい作業を強いることなく、総印刷枚数の変更にも対応した印刷枚数管理を行うことが可能となる。
【０００７】
また、前記受付手段は、さらに使用者の総人数の変更を受け付け、前記再割り当て手段は、受け付けた変更後の総人数に基づいて、各使用者における上限値を割り当て直すことを特徴とする。
この構成によれば、印刷枚数管理者が重要視するであろう要素である使用者の総人数の変更を受け付けることで、各使用者における上限値を割り当て直すので、総人数の変更にも対応した印刷枚数管理を行うことが可能となる。
【０００８】
具体的には、使用者の総人数の増加または減少があったが、トータルの印刷枚数は一定としたい状況において、管理者は総人数の変更を入力するだけで適切な使用者への上限値割り当てを行うことが可能となる。
また、前記記憶手段は、各使用者ごとの重み付け係数を記憶しており、前記再割り当て手段は、前記重み付け係数を用いて上限値を算出することを特徴とする。
【０００９】
また、前記重み付け係数は、各使用者に設定された重要度を示す係数であることを特徴とする。
例えば、会社において庶務を行う使用者に関して、印刷枚数を多く割り当てる重要度に設定することで、総印刷枚数または総人数の変更があったとしても、書類配布のため印刷枚数が多くなりがちな庶務の使用者に十分な枚数を割り当てることが可能となる。
【００１０】
また、前記重み付け係数は、各使用者の印刷使用履歴に関する係数であることを特徴とする。
また、前記印刷使用履歴に関する係数は、印刷枚数の節約指数に関する係数であって、前記再割り当て手段は、前記節約指数が節約傾向に乏しい使用者ほど、割り当てる印刷枚数を削減することを特徴とする。
【００１１】
この構成によれば、例えば、無駄な印刷が多い枚数節約傾向に乏しい使用者に割り当てる印刷枚数を削減することで、割り当て以降の無駄遣いを防止することが可能となる。また、上記使用者に印刷枚数の節約を促すことを期待できる。
また、前記節約指数は、複数枚数の原稿を１枚にまとめて印刷する集約機能の使用履歴、内容がほぼ一致する印刷の使用履歴の少なくとも１つに基づく指数であることを特徴とする。
【００１２】
この構成によれば、例えば、集約機能の利用が不十分で、かつ内容が一致する印刷の多いような節約傾向に乏しい使用者に対して効果的に割り当て直す枚数を修正することが可能となる。
また、さらに、前記再割り当て手段により割り当て直された上限値を各使用者へと通知する通知手段を備えることを特徴とする。
【００１３】
また、さらに、前記再割り当て手段により割り当て直された上限値と、当該上限値の算出に際して依拠した重み付け係数に関する情報とを表示させる表示制御手段を備えることを特徴とする。
この構成によれば、例えば算出に用いた上記節約指数に関する情報を表示することで、使用者の印刷コスト削減への意識を高めることが可能となる。
【００１４】
また、前記受付手段は、前記総上限値または総人数の目標変更値と、印刷枚数を管理する管理期間と、当該管理期間内における複数の変更回数とを受け付け、さらに、前記管理期間と変更回数とに基づいて、前記管理期間の始期から終期までにおける変更タイミングと、変更タイミング到来の度に受け付けた変更目標値へと、段階的に近づける値群とを含む変更スケジュールを決定するスケジュール決定手段を備え、前記再割り当て手段は、前記変更スケジュールに従って上限値を割り当て直すことを特徴とする。
【００１５】
この構成によれば、変更目標値へと段階的に変更するスケジュールを利用するため、印刷枚数の管理者は中長期的な計画でしかも穏当な枚数管理を行うことが可能となる。
本発明に係る上限値計算システムは、画像形成装置と、前記画像形成装置における印刷枚数の上限値を再計算する上限値計算装置とを含む上限値計算システムであって、前記画像形成装置は、各使用者に割り当てられた印刷枚数の上限値と、上限値の合計である総上限値とを記憶する記憶手段を備え、上限値再計算装置は、前記総上限値の変更を受け付ける受付手段と、受け付けた変更後の総上限値に基づいて、前記各使用者に割り当てられた印刷枚数の上限値を計算する計算手段を備えることを特徴とする。
【００１６】
本発明に係る上限値計算方法は、画像形成装置における各使用者に割り当てられた印刷枚数の上限値を再計算する上限値計算方法であって、各使用者に割り当てられた印刷枚数の上限値と、上限値の合計である総上限値を記憶する記憶ステップと、前記総上限値の変更を受け付ける受付ステップと、受け付けた変更後の総上限値に基づいて、各使用者における上限値を算出して割り当て直す再割り当てステップとを含むことを特徴とする。
【発明を実施するための最良の形態】
【００１７】
（実施の形態）
＜構成＞
図１は、画像形成枚数管理システムの構成を示す図である。
画像形成枚数管理システム１は、ＬＡＮ８内のＭＦＰ（Multi Function Peripheral）２，３，４、ＰＣ（Personal Computer）５，６を含んで構成されている。
【００１８】
ＰＣ５，６は、公知のＯＳと、ＯＳ上で動作しＷｅｂページを閲覧するためのＷｅｂブラウザを備えている。
図２は、ＭＦＰ２の機能ブロック図である。
ＭＦＰ２は、ＣＰＵ１２、ＲＯＭ１４、ＲＡＭ１６、ＨＤＤ１８、通信Ｉ／Ｆ２０、スキャナ２２、画像形成部２４，ＦＡＸ２６、操作パネル部２８、Ｗｅｂサーバ部３２を備えている。
【００１９】
ＣＰＵ１２は、ＭＦＰ２の各機能ブロックを統括的に制御する。
ＲＯＭ１４は、ＣＰＵ１２が実行する枚数計算プログラム１００を格納している。
ＲＡＭ１６とＨＤＤ１８は各種データを記憶する。
通信I/F部２０は、通信インターフェイスを実現する。
スキャナ部２２は、原稿を読み取ることにより画像データを生成する。
【００２０】
画像形成部２４は、画像データを用紙に印刷する。また、公知の複数枚数分の原稿を１枚の用紙に集約して印刷する集約機能（例えば２in１,４in１機能）を有する。
ＣＰＵ１２は、画像形成部２４による印刷が行われる度に、印刷を行った使用者と関連付けて印刷枚数（画像形成枚数）をＨＤＤ１８に記憶させる。
ＦＡＸ２６は、ＬＡＮ８または公知の電話回線を介してスキャナ部により入力された画像データなどを送信するファクシミリ機能を実現する。
【００２１】
操作パネル部２８は、ハードウェアとしてはタッチパネルと押しボタンキーなどから構成され、ユーザから入力操作を受け付ける操作部２９と、ユーザに対して表示を行う表示部３０とを含む。
Ｗｅｂサーバ部３２は、ＰＣ５，６のＷｅｂブラウザからのアクセス要求に応じて、ＨＤＤ１８に格納されたＷｅｂコンテンツを表示する。
【００２２】
図３は、枚数計算プログラム１００の機能ブロック図である。
枚数計算プログラム１００は、上限値再計算部１０２、上限値変更率受付部１０４、使用者人数変更受付部１０５、重要度記憶部１０６、履歴情報記憶部１０８を備えている。また、ＨＤＤ１８（図２参照）内のデータベース１１０を利用して処理を行う。
重要度記憶部１０６は、ＭＦＰ２における各使用者に固定的に設定された重要度を記憶している。
【００２３】
履歴情報記憶部１０８は、（１）各使用者に割り当てられた印刷枚数の上限値、（２）この上限値の合計である総上限値、（３）各使用者の過去に行った印刷の枚数、（４）印刷時に枚数を節約する機能の使用状況、を含む履歴情報を記憶している。
データベース１１０には、履歴情報記憶部１０８の情報が必要に応じてバックアップされる。
【００２４】
上限値変更率受付部１０４は、総上限値の変更率を受け付ける。使用者人数変更受付部１０５は、使用者人数の変更を受け付ける。両受付部１０４，１０５の受け付けは、例えば、Ｗｅｂサーバ部３２のＷｅｂコンテンツに変更用ページを公開し、この変更用ページにＰＣからアクセス可能にすることで実現でき、また、操作パネル部２８の表示部３０に所定の変更用画面を表示させ、操作部２９からの入力を受け付けるようにしても構わない。
【００２５】
上限値再計算部１０２は、重要度記憶部１０６と履歴情報記憶部１０８の情報を勘案しつつ、受け付けた総上限値変更率または／及び使用者人数の変更に基づいて、全ての使用者の印刷枚数の上限値を再計算する。そして、再計算の結果からデータベース１１０を更新させる。
＜動作＞
図４は、枚数計算プログラム１００が実行する処理内容を示すフローチャートである。
【００２６】
まず印刷枚数を管理する権限を有する管理者のログインが有り(S11:有)、管理者の上限値再計算機能の実行があれば(S12)、履歴情報記憶部１０８から使用者全員の履歴情報を取得する（S13）。
次に、総上限値の変更率（変更枚数）の入力を受け付ける（S14）。
図５は、ステップS14に対応しており、総上限値の変更率などを受け付ける受付画面の一例を示す図である。
【００２７】
受付画面（ウインドウ）４０は、ＰＣ５におけるＷｅｂブラウザが表示する画面である。
受付画面４０の上部には、現在の上限値（全使用者のトータル）:１００００カウント、現在の印刷済み枚数（全使用者のトータル）:５０００カウント、Ａ３といった大きな用紙サイズの印刷時における増加係数である大サイズ印刷時のカウント増加係数:２カウント、モノクロではなくカラー印刷時における増加係数であるカラー印刷時のカウント増加係数:３カウント、ＭＦＰ２の全使用者数:１００人と表示されている。なお上記カウント増加係数は、用紙枚数に積算されてカウントに用いられる。
【００２８】
受付画面４０の下部は、変更を受け付ける入力ボックス４１〜４８が表示されている。
入力ボックス４１は総上限値の変更率のボックスであり、入力ボックス４２は総上限値のボックスである。入力ボックス４１はパーセント表示、入力ボックス４２は枚数表示となっており、一方の値が変更されると他方の値も連動して変更表示される。
入力ボックス４３は使用者人数を変更する入力ボックス、入力ボックス４４は、使用者人数を増やす場合の新規使用者１人あたりに割り当てる上限値である。
【００２９】
入力ボックス４５，４６はそれぞれ残り管理期間（変更を完了するまでの期間）と変更回数である。
図５の例では、管理期間５ヶ月、変更回数５回なっている。例えば、入力ボックス４１が９５％と設定されると、９５％を変更目標値として、９９％、９８％、９７％、９６％、９５％と５ヶ月かけて５回に分けて段階的に上限値が変更されることとなる。
【００３０】
入力ボックス４７，４８は、それぞれ大サイズ印刷時・カラー印刷時のカウント増加係数である。
適用ボタン４９が押下されると、ＰＣ５のＷｅｂブラウザからＭＦＰ２へと入力ボックス４１〜４８内の数値を含む変更要求が送信され、変更要求を受信したＭＦＰ２の枚数計算プログラム１００は入力ボックス４１〜４８の値を受け付けることとなる。
【００３１】
図４に戻って、枚数計算プログラム１００は、受け付けた値に基づいて上限値を再計算し、各使用者の上限値を更新する（割り当て直す）(S15)。
次にステップＳ１５における再計算の例として、使用者人数の変更は無く、全使用者の合計枚数が１００％から９５％に変更された場合について説明する。
図６は、枚数計算プログラム１００の履歴情報記憶部１０８が記憶する履歴情報と、計算前の上限値（図中「現在の上限値」）と計算後の上限値（「新しい上限値」）などの一覧表である。
【００３２】
図６の表における各項目は次の通りである。
「使用者」は、ＭＦＰ２のに登録されている使用者名である。「Ａさん」〜「Ｚさん」の２６名と、「あさん」〜「こさん」の１０名合わせて全使用者人数は３６名である。
「現在の上限値」は、各使用者に割り当てられた印刷枚数の上限値であり、全員が１０００枚となっている。「現在の上限値」の「TOTAL」は、総上限値であり、３６０００枚となっている。ＭＦＰ２が設置されるオフィスなどの予算管理の現状に鑑みると、印刷枚数の管理者は、この総上限値を管理対象として特に重要視する傾向にある。一方、使用者個人の印刷枚数の詳細にはあまり関心がないことが多い。
【００３３】
「現在値」は、各使用者の現在（再計算時）の印刷済み枚数である。
「重要度」は、各使用者の役職などに基づいて固定的に設定された値である。
「集約使用率」は、集約機能の使用率である。この値が高いほど、用紙を節約する傾向が高い。
「内容一致率」は、印刷する内容が一致する比率である。この値が高いほど、無駄な印刷を繰り返している（節約傾向に乏しい）傾向であるといえる。なお、内容一致の判別は、例えば所定時間内に同じ使用者によって実行されたジョブの特性（枚数、用紙サイズ、トナー消費量、画像データのサイズなど）の一致度を比較することで判別することができる。
【００３４】
「削除可能枚数」は、（上限値ー現在値）×（重要度）×［１００（％）ー集約使用率（％）］×「内容一致率（％）」で導出される枚数である。
「削除枚数」は、（１使用者の削除可能枚数）×（上限値のトータル）×［１００（％）ー変更率（％）］／（削除可能枚数のトータル）で導出される枚数である。
「新しい上限値」は、（現在の上限値）ー（削除枚数）で導出される枚数である。
【００３５】
図６の例では変更率は９５％であるので、例えば使用者「Ａさん」の場合、
「削除可能枚数」は、（１０００ー０）×１×（１００ー２０）（％）×２０（％）＝１６０（枚）、
「削除枚数」は、（１６０）×３６０００×（１００ー９５）（％）／（１９８００）＝１５（枚）、
「新しい上限値」は、１０００ー１５＝９８５（枚）
となる。
【００３６】
図４に戻って、枚数計算プログラム１００は、各使用者に上限値の変更を通知する(S16)。
図７は、ステップS16に対応しており、ＭＦＰ２の操作パネル５０を示す図である。
操作パネル５０は、押しボタンキー群５２と、タッチパネル５４とを備えている。
タッチパネル５４内には、使用者「くさん」に対する上限値変更の通知として、（１）枚数が削減されたこと（１０００枚→８５５枚）、（２）大幅削減の理由（集約機能をあまり使用せず内容一致率が高い）が表示されている。
【００３７】
なお、図７に示した例に限らず、各使用者への通知は使用者宛のメール配信や音声により行っても構わない。
以上説明したように、本実施の形態によれば、ＭＦＰ２の印刷枚数の管理者は、各使用者の上限値を変更せずとも、総上限値を変更するだけで各使用者の上限値をも自動的に再計算させて変更することが可能となり、印刷枚数の管理目的を満足させつつ管理負担を低減させることが可能となる。
＜補足＞
（１）上述の実施の形態では、変更率を受け付けた場合の印刷枚数の計算方法について説明したが、使用者人数の変更を受け付けた場合の処理内容について簡単に説明する。
【００３８】
図８は、使用者人数の変更を受け付けた場合の、枚数計算プログラム１００の処理を示すフローチャートである。
ステップＳ１１〜Ｓ１３，Ｓ１６は、図４と同様であるため説明を省略する。
使用者人数の変更の入力を受け付けると（S24）、上限値を再計算し各使用者の上限値を更新する（S25）。
【００３９】
この再計算に用いる変更率の計算式は次の通りである。
変更率＝上限値のトータル／［上限値のトータル＋（変更する人数×変更する人数に割り当てる上限値）］
ここで、「削除可能枚数」、「削除枚数」、「新しい上限値」の計算式は、ステップＳ１５で説明した各式を用いる。
【００４０】
なお、変更率と使用者人数の変更とを組み合わせて再計算を行っても構わない。
（２）実施の形態においては、枚数計算プログラム１００はＭＦＰ２内にインストールされていたが、ＰＣ５（図１参照）にインストールしても構わない。そして、このＰＣ５とＭＦＰ２〜４とを上限値計算システムとして構成し、ＰＣ５にＭＦＰ２〜４における使用者の印刷枚数を計算させる構成としても構わない。
【００４１】
（３）実施の形態では印刷枚数を管理することとしているが、印刷コストを指標する変数であれば印刷枚数に限られない。例えば印刷に消費したトナー量や、印刷枚数とトナー量を組み合わせた変数であってもよい。
（４）本発明に係る画像形成装置は、印刷枚数の上限値計算方法として適用できる。また、上述の枚数計算プログラム１００としては、例えば磁気テープ、フレキシブルディスク等の磁気ディスク、DVD、CD-ROM、CD-R、MO、PDなどの光記録媒体、Smart Media（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００４２】
また、枚数計算プログラム１００は、上記に説明した処理をコンピュータに実行させるための全てのモジュールを含んでいる必要はなく、例えば通信プログラムやオペレーティングシステム（OS）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【産業上の利用可能性】
【００４３】
本発明に係る画像形成装置によれば、総上限値を変更するだけで各使用者の上限値をも変更できるので、上限値を変更したい場合の枚数管理者の負担を軽減することが可能となる。
【図面の簡単な説明】
【００４４】
【図１】画像形成枚数管理システムの構成を示す図である。
【図２】ＭＦＰの機能ブロック図である。
【図３】枚数計算プログラム１００の機能ブロック図である。
【図４】枚数管理プログラムが実行する処理内容を示すフローチャートである。
【図５】総上限値の変更率などを受け付ける受付画面を示す図である。
【図６】使用者ごとの履歴情報と、計算前後の上限値、枚数計算に用いる変数を含む一覧表である。
【図７】操作パネルを示す図である。
【図８】枚数管理プログラムが実行する処理内容を示すフローチャートである。
【符号の説明】
【００４５】
１  システム
２，３，４  ＭＦＰ
５，６  ＰＣ
１４  ＲＯＭ
２２  スキャナ
２８  操作パネル部
２９  操作パネル部の入力部
３０  操作パネル部の表示部
３２  Ｗｅｂサーバ部
５０  操作パネル
１００  枚数計算プログラム
１０２  上限値再計算部
１０４  上限値変更受付部
１０５  使用者人数変更受付部
１０６  重要度記憶部
１０８  履歴情報記憶部
【図１】
2008183739.tif 000003
【図２】
2008183739.tif 000004
【図３】
2008183739.tif 000005
【図４】
2008183739.tif 000006
【図５】
2008183739.tif 000007
【図６】
2008183739.tif 000008
【図７】
2008183739.tif 000009
【図８】
2008183739.tif 000010